(57)【要約】【課題】給電装置と受電装置とを近づけて配置することが難しい場所で電力を非接触で給電する場合に、電力の伝送ロスの増大を抑制可能なトイレ装置を提供する。【解決手段】接続線の一端に接続された第１コイルと、前記接続線の他端に接続された第２コイルと、を有する中継コイルと、受電コイルと、を備え、前記第１コイルは、給電コイルから磁界共鳴により受電した電力を、前記接続線を介して前記第２コイルに出力し、前記第２コイルは、前記接続線を介して受電した前記電力を用いて前記受電コイルへ磁界共鳴により電力を供給する。【選択図】図１
2017227058.tif 000002
【特許請求の範囲】
【請求項１】
接続線の一端に接続された第１コイルと、前記接続線の他端に接続された第２コイルと、を有する中継コイルと、
受電コイルと、
を備え、
前記第１コイルは、給電コイルから磁界共鳴により受電した電力を、前記接続線を介して前記第２コイルに出力し、
前記第２コイルは、前記接続線を介して受電した前記電力を用いて前記受電コイルへ磁界共鳴により電力を供給するトイレ装置。
【請求項２】
前記第１コイル、前記第２コイル及び前記接続線の少なくともいずれかは、絶縁部材上に印刷された薄膜の導電層である請求項１に記載のトイレ装置。
【請求項３】
前記中継コイルは、当該トイレ装置の便器又は貯水用タンクに設けられている請求項１又は請求項２に記載のトイレ装置。
【請求項４】
前記接続線は、洗浄水を溜めておく貯水部内には設けられないように当該トイレ装置の便器又は貯水用タンクに配置されている請求項３に記載のトイレ装置。
【請求項５】
前記給電コイルと前記第１コイルとが近接している請求項１から請求項４のいずれか一項に記載のトイレ装置。
【請求項６】
前記受電コイルが磁界共鳴により前記第２コイルから受電した電力を蓄電し、蓄電した電力を負荷に供給する蓄電部をさらに備える請求項１から請求項５のいずれか一項に記載のトイレ装置。
【発明の詳細な説明】
【技術分野】
【０００１】
本発明は、トイレ装置に関する。
【背景技術】
【０００２】
近年、給電装置から受電装置へ非接触で電力を伝送する非接触電力給電システムが普及し始めている。
例えば、特許文献１には、面部と側部を備えた円板形状の共鳴素子（螺旋コイル）を複数備え、その共鳴素子の側部同士を密接させるようにして配置される非接触電力給電システムが提案されている。この非接触電力給電システムは、隣接した各共鳴素子が共鳴し、給電装置からの電力をホップさせることで、遠距離にある受電装置に電力を中継する。
【先行技術文献】
【特許文献】
【０００３】
【特許文献１】特許第５７１７０６８号公報
【発明の概要】
【発明が解決しようとする課題】
【０００４】
しかしながら、特許文献１に記載の非接触電力給電システムでは、共鳴素子の近傍に金属が存在すると、各共鳴素子の結合磁界がその金属の影響を受け、電力の伝送ロスが増大する場合がある。
【０００５】
本発明は、このような事情に鑑みてなされたもので、その目的は、給電装置と受電装置とを近づけて配置することが難しい場所で電力を非接触で給電する場合に、電力の伝送ロスの増大を抑制可能なトイレ装置を提供することである。
【課題を解決するための手段】
【０００６】
本発明の一態様は、接続線の一端に接続された第１コイルと、前記接続線の他端に接続された第２コイルと、を有する中継コイルと、受電コイルと、を備え、前記第１コイルは、給電コイルから磁界共鳴により受電した電力を、前記接続線を介して前記第２コイルに出力し、前記第２コイルは、前記接続線を介して受電した前記電力を用いて前記受電コイルへ磁界共鳴により電力を供給するトイレ装置である。
【０００７】
本発明の一態様は、上述のトイレ装置であって、前記第１コイル、前記第２コイル及び前記接続線の少なくともいずれかは、絶縁部材上に印刷された薄膜の導電層である。
【０００８】
本発明の一態様は、上述のトイレ装置であって、前記中継コイルは、当該トイレ装置の便器又は貯水用タンクに設けられている。
【０００９】
本発明の一態様は、上述のトイレ装置であって、前記接続線は、洗浄水を溜めておく貯水部内には設けられないように当該トイレ装置の便器又は貯水用タンクに配置されている。
【００１０】
本発明の一態様は、上述のトイレ装置であって、前記給電コイルと前記第１コイルとが近接している。
【００１１】
本発明の一態様は、上述のトイレ装置であって、前記受電コイルが磁界共鳴により前記第２コイルから受電した電力を蓄電し、蓄電した電力を負荷に供給する蓄電部をさらに備える。
【発明の効果】
【００１２】
以上説明したように、本発明によれば、電力の伝送ロスの増大を抑制可能なトイレ装置を提供することができる。
【図面の簡単な説明】
【００１３】
【図１】第１の実施施形態における中継コイル３０を備えるトイレシステム１の構成概略の一例を示す図である。
【図２】第１の実施形態における便座ボックス５の概略構成の一例を示す図である。
【図３】第１の実施形態におけるトイレシステム１の動作を示すシーケンス図である。
【図４】第２の実施施形態における中継コイル３０を備えるトイレシステム１Ａの構成概略の一例を示す図である。
【図５】第２の実施形態における便座ボックス５Ａの概略構成の一例を示す図である。
【図６】第１の変形例における便座ボックス５Ｂの構成概略の一例を示す図である。
【図７】第２の変形例におけるトイレシステム１Ｃの構成概略の一例を示す図である。
【図８】第２の変形例における便座ボックス５Ｃの概略構成の一例を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。
【００１５】
以下、実施形態のトイレ装置を、図面を用いて説明する。
【００１６】
（第１の実施形態）
図１は、第１の実施施形態におけるトイレ装置２を備えるトイレシステム１の構成概略の一例を示す図である。
トイレシステム１は、トイレ装置２、給電部２０及び給電コイル２１を備える。
図１に示すように、トイレ装置２は、壁１０と床１１とを備えるトイレルームに設けられている。
【００１７】
トイレ装置２は、便座装置３及び便器４を備える。
便座装置３は、トイレルーム内に設けられた便器４上に設置されている。便座装置３は、便座ボックス５、便蓋６及び便座７を備える。
便座ボックス５は、便器４の後部に設置されている。
便蓋６及び便座７は、便座ボックス５に対して上下方向に回動可能に支持されている。
【００１８】
便座７には、便座ヒータ４５と受電コイル４０が設けられている。便座ヒータ４５は、受電コイル４０に電気的に接続されている。便座ヒータ４５は、受電コイル４０から電力が供給されることで、便座７を加熱して便座を温めるヒータである。例えば、便座ヒータ４５は、チュービングヒータや面状ヒータ等が用いられる。
【００１９】
便器４には、中継コイル３０が設けられている。
中継コイル３０は、外部の給電コイル２１と受電コイル４０との間の電力を中継する。
中継コイル３０は、接続線３１、第１コイル３２及び第２コイル３３を備える。
第１コイル３２は、接続線３１の一端に接続される。
第２コイル３３は、接続線３１の他端に接続される。
例えば、中継コイル３０の接続線３１は、便器４には配置されるが、便器４内にある洗浄水を溜めておく貯水部内には配置されない。すなわち、接続線３１は、洗浄水に接しないように便器４に配置される。
【００２０】
第１コイル３２は、給電コイル２１から磁界共鳴により受電した電力を、接続線３１を介して第２コイル３３に出力する。
第２コイル３３は、接続線３１を介して受電した電力を用いて受電コイル４０と磁界共鳴する。これにより、中継コイル３０は、外部の給電コイル２１からの電力を受電コイル４０に中継する。これにより、受電コイル４０は、第２コイル３３と磁界共鳴することで受電した電力を便座ヒータ４５に供給することができる。なお、接続線３１の長さは、給電コイル２１と受電コイル４０との距離に応じて設定されてもよいし、中継コイル３０が設置される箇所の形状に応じて設定されてもよいし、その両方でもよい。なお、第１の実施形態において中継コイル３０が便器４に設けられる場合について、説明するが、これに限定されない。すなわち、中継コイル３０は、トイレ装置２に設置されていればよく、設置位置には特に限定されない。
【００２１】
例えば、給電部２０は、トイレルームの外に設けられる。
給電部２０は、給電コイル２１に接続されている。給電部２０は、給電コイル２１に電力を供給する。
【００２２】
給電コイル２１は、中継コイル３０の第１コイル３２と磁界共鳴できる位置に設けられている。例えば、給電コイル２１は、トイレルームの床１１の裏側（床下）に設けられる。
給電コイル２１は、第１コイル３２と磁界共鳴することにより、給電部２０から出力された電力を第１コイル３２に給電する。給電コイル２１から第１コイル３２に非接触で電力を給電するのは、床下からトイレ装置に電力を供給するケーブルを排水管１２等の水回りの近くで配線すると漏電してしまう可能性があるためである。なお、給電コイル２１と第１コイル３２とは互いに近接するように配置されてもよい。
【００２３】
このように、第１の実施形態では、給電コイル２１から受電コイル４０に中継コイル３０を介して電力を非接触で伝送する。したがって、第１の実施形態における電力を無線で伝送する伝送距離Ｌ２、Ｌ３は、床下に設置された給電コイル２１から受電コイル４０へ直接非接触で伝送する場合の伝送距離Ｌ１より短くなる。その結果、金属による伝送ロスが小さく、金属による外乱も受けにくくなる。
【００２４】
図２は、第１の実施形態における便座ボックス５の概略構成の一例を示す図である。
図２に示すように、便座ボックス５は、蓄電部５０、変圧部５１、温水ヒータ５２、モータ５３及びセンサ５４を備える。
【００２５】
蓄電部５０は、受電コイル４０が磁界共鳴により第２コイル３３から受電した電力を蓄電する。例えば、蓄電部５０は、受電コイル４０と有線又は無線で接続されている。蓄電部５０は、受電コイル４０と有線で接続される場合には、その有線を介して受電した電力を蓄電する。一方、蓄電部５０は、受電コイル４０と無線で接続される場合には、受電コイル４０から無線で受電した電力を蓄電する。ここで、無線とは、非接触の電力伝送であり、例えば、電界結合方式、電磁誘導方式、電波方式、磁界共鳴方式等である。
【００２６】
蓄電部５０に蓄電された電力は、変圧部５１及び便座ヒータ４５にそれぞれ供給される。
便座ヒータ４５は、蓄電部５０から電力が供給されることで便座７を加熱して便座を温める。
変圧部５１は、蓄電部５０から供給された電力を、所定の電圧に変換して温水ヒータ５２、モータ５３及びセンサ５４に供給する。
【００２７】
温水ヒータ５２は、変圧部５１から供給される電力を用いて、便座７に着座しているユーザの臀部を洗浄する洗浄水を温めるヒータである。
モータ５３は、変圧部５１から供給される電力を用いて、便座７及び便蓋６を起倒回動させるためのモータである。
センサ５４は、変圧部５１から供給される電力を用いて、人体を検知する人体検知センサや便座７への着座を検知する着座センサ等である。
【００２８】
このように、蓄電部５０は、受電コイル４０から受電した電力を蓄電してから、温水ヒータ５２、モータ５３及びセンサ５４のそれぞれに電力供給する。したがって、温水ヒータ５２、モータ５３、センサ５４の順に負荷が変化した場合に、インピーダンス整合を行わなくても効率を低下させることなく負荷に電力を供給することができる。なお、本実施形態の便座ボックス５は、蓄電部５０を用いずに、インピーダンス整合を行いながら、負荷に電力を供給してもよい。
【００２９】
以下に、第１の実施形態におけるトイレシステム１の動作について、説明する。図３は、第１の実施形態におけるトイレシステム１の動作を示すシーケンス図である。
【００３０】
給電コイル２１は、給電部２０から電力が供給される（ステップＳ１０１）。給電コイル２１は、給電部２０から供給された電力に基づいて、第１コイル３２と磁界共鳴する（ステップＳ１０２）。これにより、給電部２０から出力された電力は、第１コイル３２に非接触で給電される。
【００３１】
第１コイル３２は、給電コイル２１と磁界共鳴することで給電コイル２１から電力を非接触で受電する（ステップＳ１０３）。第１コイル３２で受電した電力は、接続線３１を経由して第２コイル３３に供給される（ステップＳ１０４）。
【００３２】
第２コイル３３は、接続線３１を介して受電した電力を用いて受電コイル４０と磁界共鳴する。これにより、中継コイル３０は、外部の給電コイル２１からの電力を受電コイル４０に中継する。
【００３３】
受電コイル４０は、第２コイル３３と磁界共鳴することで非接触で第２コイル３３から電力を受電する（ステップＳ１０６）。そして、受電コイル４０は、受電した電力を電気的に接続された負荷（便座ヒータ４５、温水ヒータ５２、モータ５３及びセンサ５４等）に供給する。
【００３４】
上述したように、第１の実施形態におけるトイレ装置２は、外部の給電コイルと受電コイルとの間の電力を中継する中継コイル３０を備える。中継コイル３０は、接続線３１の一端に接続された第１コイル３２と、接続線３１の他端に接続された第２コイル３３と、を備える。第１コイル３２は、給電コイル２１から磁界共鳴により受電した電力を、接続線３１を介して第２コイル３３に出力する。そして、第２コイル３３は、接続線３１を介して受電した電力を用いて受電コイル４０と磁界共鳴する。これにより、給電コイル２１（給電装置）と受電コイル４０（受電装置）とを近づけて配置することが難しい場所で電力を非接触で給電する場合に、中継コイル３０を用いることで、従来と比較して電力を無線伝送する距離が短くなる。そのため、近傍に金属が存在しても電力の伝送ロスの増大を抑制可能である。
【００３５】
上述の実施形態において、便座ヒータ４５と受電コイル４０との間に、電磁シールドを設けてもよい。これにより、受電コイル４０で発生する電磁場が便座ヒータ４５に対して影響を与えることを軽減することができる。
【００３６】
また、上述の実施形態において、便座ボックス５と給電部２０とは、互いに無線通信する機能を備えてもよい。例えば、便座ボックス５は、センサ５４としての人体検知センサが人体を検知した場合には、その検知結果を無線通信で給電部２０に送信する。そして、給電部２０は、人体検知センサから人体を検知した検知結果を無線通信で取得した場合には、給電コイル２１に対する電力の供給を停止する。これにより、ユーザが便座７に着座していない場合に、便座７を温めるようにする。すなわち、ユーザが便座７に着座している場合には、なるべく電磁場を発生させないようにする。
【００３７】
（第２の実施形態）
図４は、第２の実施施形態における中継コイル３０を備えるトイレシステム１Ａの構成概略の一例を示す図である。第２の実施施形態では、貯水用タンク８が設けられているトイレ装置に中継コイル３０が設けられた場合について、説明する。
【００３８】
トイレシステム１Ａは、トイレ装置２Ａ、給電部２０及び給電コイル２１を備える。
図４に示すように、トイレ装置２Ａは、壁１０と床１１とを備えるトイレルームに設けられている。
【００３９】
トイレ装置２Ａは、便座装置３Ａ及び便器４を備える。
便座装置３Ａは、トイレルーム内に設けられた便器４上に設置されている。便座装置３Ａは、便座ボックス５Ａ、便蓋６、便座７及び貯水用タンク８を備える。
【００４０】
便座ボックス５Ａには、受電コイル４０が設けられている。
貯水用タンク８は、便器４の後方に設けられる。貯水用タンク８は、便器４内に供給する洗浄水を貯留する。また、貯水用タンク８には、中継コイル３０が設けられている。図４に示すように、第１コイル３２が壁１０側にある貯水用タンク８の裏面に設けられ、第２コイル３３が貯水用タンク８の表面に設けられている。そして、第１コイル３２と第２コイル３３とを接続する接続線３１が貯水用タンク８の側面に設けられている。
【００４１】
給電コイル２１は、中継コイル３０の第１コイル３２と磁界共鳴できる位置に設けられている。例えば、第２の実施形態では、給電コイル２１は、トイレルームの壁１０の裏側に設けられる。
給電コイル２１は、第１コイル３２と磁界共鳴することにより、給電部２０から出力された電力を第１コイル３２に給電する。
【００４２】
壁１０に設置された給電コイル２１から貯水用タンク８に設けられた第１コイル３２へ非接触で電力が伝送される。そして、第１コイル３２に非接触で伝送された電力は、第１コイル３２から接続線３１で接続された第２コイル３３に供給される。そして、第２コイル３３は、受電コイル４０と磁界共鳴することで、第２コイル３３から便座ボックス５Ａの受電コイル４０に非接触で電力が伝送する。
【００４３】
図５は、第２の実施形態における便座ボックス５Ａの概略構成の一例を示す図である。
図５に示すように、便座ボックス５Ａは、受電コイル４０、蓄電部５０、変圧部５１、温水ヒータ５２、モータ５３及びセンサ５４を備える。
【００４４】
蓄電部５０は、受電コイル４０が磁界共鳴により第２コイル３３から有線又は無線で受電した電力を蓄電する。
蓄電部５０に蓄電された電力は、変圧部５１と便座ヒータ４５にそれぞれ供給される。
変圧部５１は、蓄電部５０から供給された電力を、所定の電圧に変換して温水ヒータ５２、モータ５３及びセンサ５４に供給する。したがって、温水ヒータ５２、モータ５３、センサ５４の順に負荷が変化した場合に、インピーダンス整合を行わなくても効率を低下させることなく負荷に電力を供給することができる。なお、本実施形態の便座ボックス５Ａは、蓄電部５０を用いずに、インピーダンス整合を行いながら、負荷に電力を供給してもよい。
【００４５】
なお、第２の実施形態におけるトイレシステム１Ａの動作は、第１の実施形態と同様であるため、説明を省略する。
【００４６】
上述したように、第２の実施形態におけるトイレ装置２Ａは、第１の実施形態と同様に、外部の給電コイルと受電コイルとの間の電力を中継する中継コイル３０を備える。中継コイル３０は、接続線３１の一端に接続された第１コイル３２と、接続線３１の他端に接続された第２コイル３３と、を備える。第１コイル３２は、給電コイル２１から磁界共鳴により受電した電力を、接続線３１を介して第２コイル３３に出力する。そして、第２コイル３３は、接続線３１を介して受電した電力を用いて受電コイル４０と磁界共鳴する。これにより、給電コイル２１（給電装置）と受電コイル４０（受電装置）とを近づけて配置することが難しい場所で電力を非接触で給電する場合に、中継コイル３０を用いることで、従来と比較して電力を無線伝送する距離が短くなる。そのため、近傍に金属が存在しても電力の伝送ロスの増大を抑制可能である。
【００４７】
ここで、例えば、貯水用タンク８には、洗浄水を溜めておく貯水部を有する。そして、この貯水部に溜められた洗浄水の水位や水量は、トイレを使用すると変動する。したがって、給電コイルと受電コイルとが貯水用タンク８の貯水部を挟んで設置されている場合、この貯水部の洗浄水の水位や水量の変動によって、給電コイルから受電コイルへの電力の伝送が安定しない可能性がある。すなわち、給電コイルと受電コイルとの間に洗浄水があると、給電コイルと受電コイルとの磁界共鳴が安定しない場合があり、給電コイル２１から受電コイル４０に対する電力の無線伝送ができない場合がある。この問題を解決するために、本実施形態では、トイレルーム内（個室内）において、壁１０もしくは床１１に非接触の給電コイル２１を設ける場合において、トイレ装置の受電コイル４０に安定して電力を給電するために、貯水用タンク８やその貯水部の外側に沿って中継コイル３０を配置する。具体的には、貯水用タンク８やその貯水部の外側の面に沿って、中継コイル３０の接続線３１を配置する。これにより、中継コイル３０は、給電コイル２１から無線伝送された電力を上記貯水部を迂回させて、受電コイル４０に供給することができる。これにより、給電コイル２１と受電コイル４０との間に貯水部がある場合でも、安定して給電コイル２１から受電コイル４０に対して電力を無電伝送することができる。また、中継コイル３０の接続線３１が貯水部の外側の面にそって配置されているため、中継コイル３０の交換が容易である。また、中継コイル３０の接続線３１は、貯水部内には設けられないため、洗浄水に接することがない。そのため、中継コイル３０の水濡れによる漏電を防止することができる。
【００４８】
上述の実施形態において、受電コイル４０と上記負荷との間に、電磁シールドを設けてもよい。これにより、受電コイル４０で発生する電磁場が上記負荷に対して影響を与えることを軽減することができる。
【００４９】
また、上述の実施形態におけるトイレシステム１，１Ａでは、障害物（例えば、壁、床、もしくは給電される設備本体の一部）によって、給電コイル２１と受電コイル４０とを近づけて配置することが難しく、給電コイル２１と受電コイル４０とが互いに離して設置される場合に、その障害物に中継コイル３０を設置する。これにより、中継コイル３０は、設置された障害物に沿って、給電コイル２１から受電コイル４０に対して電力を受け渡すことが可能になる。これにより、トイレシステム１，１Ａは、従来と比較して、給電コイル２１から受電コイル４０に対して電力を無線伝送する距離が短くなる。したがって、中継コイル３０は、電力の伝送ロスの増大を抑制することができる。
【００５０】
以下に、第２の実施形態における第１の変形例について、説明する。本変形例は、図６に示すように、便座ボックス５Ａに対して、調整部７１、第１整流部７２及び第２整流部７３をさらに有する便座ボックス５Ｂを備えることを特徴とする。
【００５１】
図６は、第１の変形例における便座ボックス５Ｂの構成概略の一例を示す図である。
便座ボックス５Ｂは、受電コイル４０、調整部７１、第１整流部７２、第２整流部７３、蓄電部５０、変圧部５１、温水ヒータ５２、モータ５３及びセンサ５４を備える。
調整部７１は、受電コイル４０に接続されている。調整部７１は、後段に接続された負荷に応じてインピーダンス整合を行う。
調整部７１を介して受電コイル４０から供給された電力は、第１整流部７２と第２整流部７３に供給される。第１整流部７２は、供給された電力を整流し、整流した電力を便座ヒータ４５に有線又は無線で供給する。
【００５２】
第２整流部７３は、供給された電力を整流し、整流した電力を蓄電部５０に有線又は無線で供給する。
【００５３】
蓄電部５０は、第２整流部７３から供給された電力を蓄電する。そして、蓄電部５０に蓄電された電力は、変圧部５１及び便座ヒータ４５にそれぞれ供給される。
変圧部５１は、蓄電部５０に蓄電された電力を、所定の電圧に変換して温水ヒータ５２、モータ５３及びセンサ５４に供給する。
【００５４】
以下に、第２の実施形態における第２の変形例について、説明する。図７は、第２の変形例におけるトイレシステム１Ｃの構成概略の一例を示す図である。本変形例は、便座ボックス５Ｃから便座７Ｃに対して非接触で電力を給電する構成を備えることを特徴とする。
【００５５】
図７に示すように、第２の変形例におけるトイレシステム１Ｃは、トイレ装置２Ｃ、給電部２０及び給電コイル２１を備える。
トイレ装置２Ｃは、便座装置３Ｃ及び便器４を備える。
便座装置３Ｃは、トイレルーム内に設けられた便器４上に設置されている。便座装置３Ｃは、便座ボックス５Ｃ、便蓋６、便座７Ｃ及び貯水用タンク８を備える。
【００５６】
便座７Ｃには、便座ヒータ４５及び便座コイル８１が設けられている。便座コイル８１は、便座ヒータ４５に電気的に接続されている。
便座ボックス５Ａには、受電コイル４０及び本体コイル８０が設けられている。
本体コイル８０は、便座コイル８１と磁界共鳴することで、受電コイル４０が第２コイル３３から非接触で受電した電力を便座コイル８１に非接触で給電する。
【００５７】
図８は、第２の変形例における便座ボックス５Ｃの概略構成の一例を示す図である。
図８に示すように、便座ボックス５Ｃは、受電コイル４０、本体コイル８０、制御部９０、変圧部５１、温水ヒータ５２、モータ５３及びセンサ５４を備える。便座７Ｃは、便座ヒータ４５、第１整流部７２及び便座コイル８１を備える。
【００５８】
制御部９０は、蓄電部５０及び共振部９１を備える。
蓄電部５０は、受電コイル４０から供給された電力を蓄電する。共振部９１は、蓄電部５０に蓄電された電力を、所定の周波数の電力に変換して本体コイル８０に出力する。これにより、本体コイル８０と便座コイル８１とが磁界共鳴することで、所定の周波数の電力が本体コイル８０から便座コイル８１に非接触で伝送される。便座コイル８１は、伝送された電力を第１整流部７２に供給する。第１整流部７２は、供給された電力を整流し、整流した電力を便座ヒータ４５に供給する。
【００５９】
変圧部５１は、蓄電部５０に蓄電された電力を、所定の電圧に変換して温水ヒータ５２、モータ５３及びセンサ５４に供給する。
【００６０】
上述の実施形態において、中継コイル３０は、接続線３１、第１コイル３２及び第２コイル３３の少なくともいずれかは、絶縁部材上に印刷された薄膜の導電層であってもよい。例えば、絶縁部材とは、フィルムである。すなわち、中継コイル３０は、フィルムコイルであってもよい。なお、中継コイル３０は、複数の層のフィルムに印刷された薄膜の導電層であってもよい。
【００６１】
また、上述の実施形態において、給電コイル２１、受電コイル４０及び中継コイル３０の静電容量は、それぞれ浮遊容量でもよいし、物理的なコンデンサの静電容量でもよい。
【００６２】
また、上述の実施形態において、中継コイル３０が設けられる位置は、トイレ装置２の表面でもよいし、トイレ装置２の内部でもよい。
【００６３】
また、上述の実施形態では、中継コイル３０がトイレ装置２に適用される場合について説明したが、これに限定されない。例えば、中継コイル３０は、什器、建具、家電、空調設備等の電力を必要とする設備に適用してもよい。例えば、中継コイル３０は、給電コイル２１から障害物やその設備本体の一部を介して、当該設備の受電コイル４０へ給電する必要のあるものに適用可能である。
【００６４】
また、上述した実施形態における便座装置の各部は、ハードウェアにより実現されてもよく、ソフトウェアにより実現されてもよく、ハードウェアとソフトウェアとの組み合わせにより実現されてもよい。
【００６５】
また、上述した実施形態における便座装置をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１  トイレシステム
２  トイレ装置
３  便座装置
４  便器
５  便座ボックス
２０  給電部
２１  給電コイル
３０  中継コイル
３１  接続線
３２  第１コイル
３３  第２コイル
５０  蓄電部
５１  変圧部
【図１】
2017227058.tif 000003
【図２】
2017227058.tif 000004
【図３】
2017227058.tif 000005
【図４】
2017227058.tif 000006
【図５】
2017227058.tif 000007
【図６】
2017227058.tif 000008
【図７】
2017227058.tif 000009
【図８】
2017227058.tif 000010